(57)【特許請求の範囲】
【請求項１】
三相配電線に接続された変圧器の複数の接続ノードの全ての位置より上流側の所定位置から、前記複数の接続ノードそれぞれまでの配電線のインピーダンスに応じた複数の第１の値に対し、前記複数の接続ノードそれぞれに接続される前記変圧器の容量に応じた第２の値を乗算する第１乗算部と、
前記複数の接続ノードそれぞれに対して算出された前記複数の乗算結果を、前記三相配電線ごとに加算する第１加算部と、
前記第１加算部の加算結果に基づいて、前記三相配電線ごとに加算された３つの加算結果のばらつきを示す第３の値を算出する算出部と、
を備えることを特徴とする演算装置。
【請求項２】
請求項１に記載の演算装置であって、
前記三相配電線は、第１〜第３配電線を含み、
新たな変圧器が設定予定位置に設置される際に、前記新たな変圧器が前記第１及び第２配電線に接続される第１状態と、前記新たな変圧器が前記第２及び第３配電線に接続される第２状態と、前記新たな変圧器が前記第１及び第３配電線に接続される第３状態と、のそれぞれにおいて前記第３の値が算出されるよう、前記第１乗算部、前記第１加算部、及び前記算出部に処理を実行させる処理部と、
前記第１〜第３状態のそれぞれの前記第３の値に基づいて、前記第１〜第３状態から前記ばらつきが最小となる状態を選択する選択部と、
を備えることを特徴とする演算装置。
【請求項３】
請求項２に記載の演算装置であって、
第２乗算部及び第２加算部を更に備え、
前記三相配電線は、複数の開閉器の間に配設され、
前記処理部は、
前記複数の開閉器のうち第１開閉器から前記三相配電線に電源が供給される第１の場合に、前記所定位置が前記第１開閉器の設置地点に応じた位置として前記第１〜第３状態のそれぞれにおける前記第３の値が算出され、
前記複数の開閉器のうち第２開閉器から前記三相配電線に電源が供給される第２の場合に、前記所定位置が前記第２開閉器の設置地点に応じた位置として前記第１〜第３状態のそれぞれにおける前記第３の値が算出されるよう、前記第１乗算部、前記第１加算部、及び前記算出部に処理を実行させ、
前記第２乗算部は、
前記第１の場合に算出される３つの前記第３の値に対し、前記第１開閉器から電源が供給される第１の確率を乗算し、前記第２の場合に算出される３つの前記第３の値に対し、前記第２開閉器から電源が供給される第２の確率を乗算し、
前記第２加算部は、
前記第１の場合に算出される３つの乗算結果と、前記第２の場合に算出される３つの乗算結果とを、前記第１〜第３状態ごとに算出し、
前記選択部は、
前記第１〜第３状態ごとに得られる前記第２加算部の加算結果に基づいて、前記ばらつきが最小となる状態を選択すること、
を特徴とする演算装置。
【請求項４】
請求項３に記載の演算装置であって、
前記第１及び第２の確率は、
前記第１開閉器から電源が供給された期間と、前記第２開閉器から電源が供給された期間と、に基づいて定められること、
を特徴とする演算装置。
【請求項５】
請求項２〜請求項４の何れかに記載の演算装置であって、
前記選択部で選択された状態の値が、所定値よりも大きいか否かを判定する判定部と、
前記選択部で選択された状態の値が前記所定値よりも大きい場合、警報を出力する警報部と、
を更に備えることを特徴とする演算装置。
【請求項６】
三相配電線に接続された変圧器の複数の接続ノードの全ての位置より上流側の所定位置から、前記複数の接続ノードそれぞれまでの配電線のインピーダンスに応じた複数の第１の値に対し、前記複数の接続ノードそれぞれに接続される前記変圧器の容量に応じた第２の値を乗算し、
前記複数の接続ノードそれぞれに対して算出された前記複数の乗算結果を、前記三相配電線ごとに加算し、
前記第１加算部の加算結果に基づいて、前記三相配電線ごとに加算された３つの加算結果のばらつきを示す第３の値を算出すること、
を特徴とする演算方法。
【請求項７】
コンピュータに、
三相配電線に接続された変圧器の複数の接続ノードの全ての位置より上流側の所定位置から、前記複数の接続ノードそれぞれまでの配電線のインピーダンスに応じた複数の第１の値に対し、前記複数の接続ノードそれぞれに接続される前記変圧器の容量に応じた第２の値を乗算する機能と、
前記複数の接続ノードそれぞれに対して算出された前記複数の乗算結果を、前記三相配電線ごとに加算する機能と、
前記第１加算部の加算結果に基づいて、前記三相配電線ごとに加算された３つの加算結果のばらつきを示す第３の値を算出する機能と、
を実行させるプログラム。
【発明の詳細な説明】
【技術分野】
【０００１】
本発明は、演算装置、演算方法、及びプログラムに関する。
【背景技術】
【０００２】
電力系統で配電される電力の品質の一つとして、電圧不平衡率がある。電圧不平衡率が悪化すると、電力系統に設置された設備の利用率や、負荷の効率等が低下する（例えば、特許文献１参照）。このため、一般的な電力系統では、電圧不平衡率の悪化を防ぐために、需要家に電力を供給するための変圧器を電力系統に均等に配置することが行われる。例えば、変圧器が設けられる電柱番号を３で割った余りに応じて変圧器の接続相を決定し、変圧器の均等化を図っている（例：余りが０→“ＲＳ”相に接続、余りが１→“ＳＴ”相に接続、余りが２→“ＴＲ”相に接続）。
【先行技術文献】
【特許文献】
【０００３】
【特許文献１】特開２００６−２１７７０９号公報
【発明の概要】
【発明が解決しようとする課題】
【０００４】
しかしながら、変圧器を均等に配置する方法では、変圧器において発生する配電線の電圧降下の影響が考慮されていないため、電圧不平衡率を確実に小さくすることは難しい。
【０００５】
本発明は上記課題を鑑みてなされたものであり、電圧不平衡率を確実に小さくすることができる演算装置を提供する。
【課題を解決するための手段】
【０００６】
上記目的を達成するため、本発明の一つの側面に係る、演算装置は、三相配電線に接続された変圧器の複数の接続ノードの全ての位置より上流側の所定位置から、前記複数の接続ノードそれぞれまでの配電線のインピーダンスに応じた複数の第１の値に対し、前記複数の接続ノードそれぞれに接続される前記変圧器の容量に応じた第２の値を乗算する第１乗算部と、前記複数の接続ノードそれぞれに対して算出された前記複数の乗算結果を、前記三相配電線ごとに加算する第１加算部と、前記第１加算部の加算結果に基づいて、前記三相配電線ごとに加算された３つの加算結果のばらつきを示す第３の値を算出する算出部と、を備える。
【発明の効果】
【０００７】
電圧不平衡率を確実に小さくすることができる演算装置を提供することができる。
【図面の簡単な説明】
【０００８】
【図１】本発明の一実施形態である電圧不平衡解消支援装置７３が設けられた電力系統１０の概要を示す図である。
【図２】テーブル１００を示す図である。
【図３】テーブル１０１を示す図である。
【図４】変圧器５０の接続状態を説明するための図である。
【図５】電圧不平衡解消支援装置７２の構成を示す図である。
【図６】ＣＰＵ１１０に実現される機能ブロックの一例を示す図である。
【図７】接続相決定支援処理の一例を示すフローチャートである。
【発明を実施するための形態】
【０００９】
本明細書および添付図面の記載により、少なくとも以下の事項が明らかとなる。  
図１は、電力系統１０の概要を示す図である。電力系統１０には、母線２０、配電線２１，２２，３０〜３２、遮断器（ＣＢ：Circuit Breaker）４０，４１、変圧器５０〜５６、開閉器Ａ〜Ｄ、および電柱Ｐ１〜Ｐ９が設けられている。
【００１０】
母線２０には、配電用変圧器からの所定の高電圧（例えば６６００ボルト）が印加されている。
【００１１】
遮断器４０は、母線２０と配電線２１との間に設けられ、遮断器４１は、母線２０と配電線２２との間に設けられている。遮断器４０，４１は、例えば、地絡事故等を検出する継電器（不図示）からの指示に基づいて遮断される。
【００１２】
配電線２１，２２は、母線２０から出力された電力を、遮断器４０，４１を介して電力の需要家に供給するための電力伝送路であり、配電線２１の経路上には電柱Ｐ１〜Ｐ５が設けられている。また、配電線２１の電柱Ｐ１，Ｐ２で挟まれる区間には、配電線３０が接続され、電柱Ｐ２，Ｐ３で挟まれる区間には、配電線２１，２２の間を接続する配電線３１が接続され、電柱Ｐ４，Ｐ６で挟まれる区間には、配電線３２が接続されている。なお、ここでは、配電線２１，３０が接続されたノードをノードＮ１とし、配電線２１，３１が接続されたノードをノードＮ２とし、配電線２１，３２が接続されたノードをノードＮ２とする。
【００１３】
また、配電線３０には電柱Ｐ６が設けられ、配電線３１には電柱Ｐ７が設けられ、配電線３２には電柱Ｐ８，９が設けられている。配電線２１，２２の間を接続し、電柱Ｐ７が設けられている。図１において、母線２０は３本の母線を含み、配電線２１，２２，３０〜３３の夫々は、３本の配電線を含むが、ここでは便宜上１本の線で記載している。
【００１４】
開閉器Ａは、配電線２１に流れる電流を遮断可能に遮断器４０および電柱Ｐ１の間に取り付けられている。同様に、開閉器Ｂは、配電線３１に取り付けられて、開閉器Ｃは、配電線２１の電柱Ｐ５より下流側（末端側）に取り付けられ、開閉器Ｄは、配電線３２の電柱Ｐ９より下流側に取り付けられている。なお、本実施形態では、開閉器Ａ〜Ｄで囲まれた範囲を、範囲Ｘとする。このため、開閉器Ａ，Ｃ，Ｄが“入”状態となり、開閉器Ｂが“切”状態となると、範囲Ｘには、開閉器Ａから電源が供給される。つまり、範囲Ｘの配電線において、開閉器Ａの位置が最も上流の位置となる。一方、開閉器Ｂ，Ｃ，Ｄが“入”状態となり、開閉器Ａが“切”状態となると、範囲Ｘには、開閉器Ｂから電源が供給される。この場合、範囲Ｘの配電線において、開閉器Ｂの位置が最も上流の位置となる。
【００１５】
変圧器５０〜５４は、電灯用のトランスであり、電柱Ｐ１，Ｐ６〜Ｐ９にそれぞれ接続されている。変圧器５５，５６は、動力用のトランスであり、電柱Ｐ７，Ｐ８にそれぞれ接続されている。
【００１６】
電力系統１０の制御所には、配電自動化システム７０、配電設備管理システム７１、電圧不平衡解消支援装置７２、及び通信線８０が設けられている。配電自動化システム７０、配電設備管理システム７１、及び電圧不平衡解消支援装置７２は、通信線８０を介して通信可能に接続されている。
【００１７】
配電自動化システム７０は、電力系統１０の状態を管理し、電力系統１０の系統情報をリアルタイムに取得するシステムである。配電自動化システム７０の記憶装置（不図示）には、例えば、遮断器４０，４１や開閉器Ａ〜Ｄに関する情報が系統情報として記憶されている。図２は、配電自動化システム７０の記憶装置におけるテーブル１００に記憶された情報のうち、開閉器Ａ〜Ｄに関する情報を示す図である。テーブル１００には、現在の開閉器Ａ〜Ｄの状態（“入：投入状態”、“切；開放状態”）が記憶されている。
【００１８】
配電設備管理システム７１は、電力系統１０の設備に関する設備情報を管理するシステムである。
【００１９】
配電設備管理システム７１の記憶装置（不図示）には、電柱に接続された変圧器に関する情報、配電線２１，３０〜３２の材料（単位長さあたりのインピーダンス）に関する情報、位置情報、系統切替え情報が設備情報として記録されている。
【００２０】
図３は、変圧器に関する情報が記憶されたテーブル１０１の一例である。テーブル１０１には、電柱Ｐ１〜Ｐ９のそれぞれに接続された変圧器の種類（変圧器種別）、変圧器の容量、接続相、変圧器が接続されている配電線に関する情報が記憶されている。
【００２１】
たとえば、電柱Ｐ１を例に説明すると、電柱Ｐ１に接続された変圧器５０は、“電灯用”であり、容量が“５０ｋＶＡ”である。さらに、変圧器５０は、三相（Ｒ相、Ｓ相、Ｔ相）の配電線２１のうち、図４に示すように“ＲＳ”相に接続されている。なお、Ｒ相，Ｓ相、Ｔ相のそれぞれの配電線は、第１〜第３配電線に相当する。
【００２２】
電柱Ｐ７には、“電灯用”の変圧器５２と、“動力用”の変圧器５５が接続されている。そして、変圧器５２の容量は“５０ｋＶＡ”であり、変圧器５５の容量は“２０ｋＶＡ”である。さらに、変圧器５２は、配電線３１の“ＲＳ”相に接続され、変圧器５５は、配電線３１の“ＴＲ”相に接続されている。電柱Ｐ６，Ｐ９については、電柱Ｐ１と同様であり、電柱Ｐ８は、電柱Ｐ７と同様であるため詳細な説明は省略する。また、電柱Ｐ２〜Ｐ５には、変圧器は接続されていない。
【００２３】
また、特に図示しないが、位置情報には、電柱Ｐ１〜Ｐ９の位置、開閉器Ａ〜Ｄの位置、ノードＮ１〜Ｎ３の位置を示す情報が含まれている。そして、系統切替え情報は、過去の系統が切り替えに関する情報、つまり、開閉器Ａ〜Ｄの“入”状態、“切”状態の履歴情報（時刻、日付に関する情報）を含む。
【００２４】
電圧不平衡解消支援装置７２（演算装置）は、利用者から入力される各種情報、配電自動化システム７０からの系統情報、配電設備管理システム７１からの設備情報に基づいて、電力系統１０における電圧不平衡を抑制するための各種演算を実施する。
【００２５】
電圧不平衡解消支援装置７２は、図５に示すように、ＣＰＵ１１０、メモリ１１５、通信ＩＦ（Interface）１２０、記憶装置１２５、入力装置１３０、出力装置１３５、を備える。
【００２６】
ＣＰＵ１１０は電圧不平衡解消支援装置７２の全体の制御を司るもので、記憶装置１２５に記憶された各種プログラムをメモリ１１５に読み出して実行することにより、各種機能を実現する。
【００２７】
通信ＩＦ１２０は通信を行うための装置である。通信ＩＦ１２０は、例えば通信回線８０を介して配電自動化システム７０及び配電設備管理システム７１と接続され、系統情報や設備情報を受信する。
【００２８】
記憶装置１２５は例えばハードディスク装置により構成され、ＣＰＵ１１０が実行するプログラムや各種データが記憶される。
【００２９】
入力装置１３０は利用者等による電圧不平衡解消支援装置７２へのデータ入力等のために用いられる装置でありユーザインタフェースとして機能する。入力装置１３０としては例えばキーボードやマウス等を用いることができる。
【００３０】
出力装置１３５は情報を外部に出力するための装置でありユーザインタフェースとして機能する。本実施形態の出力装置１３５としては例えばディスプレイであることとする。
【００３１】
＝＝ＣＰＵ１１０に実現される機能について＝＝
図６は、ＣＰＵ１１０に実現される機能ブロックの一例を示す図である。ＣＰＵ１１０は、ばらつき算出部１５０、処理部１５１、確率乗算部１５２、加算部１５３、選択部１５４、判定部１５５、及び警報部１５６を含んで構成される。なお、ＣＰＵ１１０は、記憶装置１２５に格納されるプログラムを実行することにより、各機能ブロックを実現する。
【００３２】
ばらつき算出部１５０は、範囲Ｘに配設された配電線の各相の電圧降下のばらつきを示す値を算出する。ばらつき算出部１５０は、インピーダンス計算部１６０、乗算部１６１、加算部１６２、及び算出部１６３を含んで構成される。
【００３３】
インピーダンス計算部１６０は、系統情報や設備情報等に基づいて、電源側となっている開閉器の位置から、変圧器が接続されたノード（地点ｉ）までの配電線のインピーダンスＺｉを、変圧器が接続されるノードごとに計算する。例えば、開閉器Ａが電源側の場合、開閉器Ａの位置から、変圧器が接続されたノード（地点ｉ）までの配電線のインピーダンス “ＺＡｉ”が計算される。また、開閉器Ｂが電源側の場合、開閉器Ｂの位置から、変圧器が接続されたノード（地点ｉ）までの配電線のインピーダンス “ＺＢｉ”が計算される。
【００３４】
ここで、開閉器Ａから電源が供給されることとして、開閉器Ａから、変圧器５０までの配電線２１のインピーダンスの計算例を説明する。インピーダンス計算部１６０は、開閉器Ａの位置と、変圧器５０が接続される電柱Ｐ６との位置から、開閉器Ａから変圧器５０までの距離を算出する。そして、インピーダンス計算部１６０は、算出した距離に対し、配電線２１の単位長さあたりのインピーダンスを乗算し、開閉器Ａから、変圧器５０までの配電線２１のインピーダンス“ＺＡ１”（ｉ＝１）を計算する。なお、以下電柱Ｐ１〜Ｐ９のそれぞれの地点を地点１〜９とする。
【００３５】
また、ここでは、開閉器Ａの位置と、電柱Ｐ６の位置とに基づいて距離を算出したが、例えば、開閉器Ａの位置と、ノードＮ１の位置とに基づいて距離を算出しても良い。以下、特に明記しない限り、開閉器Ａが電源側として説明する。
【００３６】
乗算部１６１（第１乗算部）は、変圧器が接続されたノード（地点ｉ）までの配電線のインピーダンス “ＺＡｉ”（第１の値）に対し、それぞれの地点ｉに接続された変圧器の容量の値（第２の値）を乗算する。ここで、地点ｉにおける変圧器の容量を、“Ｐｉ”とすると、乗算部１６１は、“ＺＡｉ×Ｐｉ”を計算する。
【００３７】
加算部１６２（第１加算部）は、変圧器が接続されたノードそれぞれに対して算出された“ＺＡｉ×Ｐｉ”を、Ｒ相、Ｓ相、Ｔ相の配電線ごとに加算する。具体的には、加算部１６２は、式（１）〜（３）を計算する。  
0005502177.tif 000002
例えば、図１において、Ｒ相に接続される変圧器は、５つ（変圧器５０，５１，５２，５４，５６）あるため、式（１）では、５つの乗算結果  “ＺＡｉ×Ｐｉ”（ｉ＝１，６，７，８，９）が加算される。式（１）で算出されるＦＡＲは、Ｒ相の電圧降下を評価する評価関数であり、Ｒ相の電圧降下の大きさに応じて値が変化する。なお、式（２），（３）で算出されるＦＡＳ、ＦＡＴについてもＦＡＲと同様である。
【００３８】
算出部１６３は、加算部１６２で算出された各相の電圧降下を示す値（“ＦＡＲ”、“ＦＡＳ”、“ＦＡＴ”）のばらつきを示す値を算出する。具体的には、算出部１６３は、式（４）を計算する。  
0005502177.tif 000003
式（４）から明らかなように、加算部１６２で算出された各相の電圧降下を示す値（“ＦＡＲ”、“ＦＡＳ”、“ＦＡＴ”）が大きくばらついている場合“ＦＡ”（第３の値）も大きくなる。一方、加算部１６２で算出された各相の電圧降下を示す値（“ＦＡＲ”、“ＦＡＳ”、“ＦＡＴ”）のばらつきが小さい場合、“ＦＡ”は小さくなる。つまり、式（４）は、各相の電圧降下の差分を評価する評価関数である。そして、式（４）の値が小さいほど、範囲Ｘにおける電圧不平衡率は小さくなる。なお、式（４）でなく、各相の電圧降下を示す値（“ＦＡＲ”、“ＦＡＳ”、“ＦＡＴ”）の偏差（例えば、標準偏差）を求めても良い。
【００３９】
処理部１５１は、例えば、利用者から新設される変圧器の情報（設置予定位置、容量）が入力された場合、新たな変圧器の情報を、現状の変圧器の状態に追加してばらつき算出部１５０に“ＦＡ”を算出させる。なお、この際、処理部１５１は、新たな変圧器が、“ＲＳ”相に接続される状態（第１状態）、“ＳＴ”相に接続される状態（第２状態）、“ＴＲ”相に接続される状態（第３状態）のそれぞれに対する“ＦＡ１”、“ＦＡ２”、“ＦＡ３”を算出させる。さらに、処理部１５１は、“ＦＡ”と同様に他の開閉器が電源側となっている場合の“ＦＢ”〜“ＦＤ”を算出させる。
【００４０】
確率乗算部１５２（第２乗算部）は、設備情報に含まれる開閉器の状態の履歴情報に基づいて、開閉器Ａ〜Ｄのそれぞれから電源が供給される確率を算出する。例えば、開閉器Ａから電源が供給された確率σＡは、ＴＡ／（ＴＡ＋ＴＢ＋ＴＣ＋ＴＤ）として計算できる。なお、期間ＴＡ〜ＴＤは、過去において開閉器Ａ〜Ｄから電源が供給された期間である。
【００４１】
また、確率乗算部１５２は、“ＦＡ”〜“ＦＤ”が算出されると、それぞれに対し、開閉器Ａ〜開閉器Ｄから電源が供給される確率“σＡ”〜“σＤ”を乗算する。つまり、確率乗算部１５２は、“ＦＡ×σＡ”〜“ＦＤ×σＤ”を計算する。なお、σＡ〜σＤの和は“１”となる。また、確率σＡは、第１の確率に相当し、確率σＢは、第２の確率に相当する。
【００４２】
加算部１５３（第２加算部）は、確率乗算部１５２で算出された結果を加算する。具体的には、加算部１５３は、式（５）を計算する。  
0005502177.tif 000004
【００４３】
なお、本実施形態では、処理部１５１は、ばらつき算出部１５０に対し、前述した第１〜第３状態に対する“ＦＡ”〜“ＦＤ”を算出させているため、確率乗算部１５２及び加算部１５３での計算式は、式（６）となる。  
0005502177.tif 000005
【００４４】
選択部１５４は、新たな変圧器が追加された状態の式（６）の計算結果 “Ｆ１”〜“Ｆ３”のうち、最もばらつきの小さくなる計算結果を選択する。例えば、計算結果 “Ｆ１”が最もばらつきが小さい場合、新たな変圧器は、“ＲＳ”相に接続すれば、電圧不平衡率が小さくなる。
【００４５】
判定部１５５は、選択部１５４で選択された計算結果の値が、所定値Ｑよりも大きいか否かを判定する。なお、所定値Ｑは、例えば、範囲Ｘにおける配電線の電圧不平衡率が例えば３％となる際の値に相当することとする。
【００４６】
警報部１５６は、選択部１５４で選択された計算結果の値が、所定値Ｑよりも大きい場合、警報表示を出力装置１３５（ディスプレイ）に表示する。
【００４７】
＝＝接続相決定支援処理の一例＝＝
ここで、利用者が新たは変圧器を範囲Ｘに設置する際に、ＣＰＵ１１０が実行する接続相決定支援処理の一例を説明する。
【００４８】
利用者は、予め新たな変圧器を接続する電柱の情報（設置予定位置：例えば、電柱Ｐ２）と、新たな変圧器の容量と、を入力装置１３０で入力していることとする。
【００４９】
まず、処理部１５１は、新たな変圧器の設置予定位置及び容量を示す情報と、系統情報、設備情報を取得する（Ｓ１００）。そして、処理部１５１は、ばらつき算出部１５０に、開閉器Ａ〜Ｄのそれぞれが電源側となった場合において、配電線の各相の電圧降下のばらつきを示す値を第１〜第３状態ごとに算出させる（Ｓ１０１）。つまり、処理部１５１は、ばらつき算出部１５０に、開閉器Ａが電源側となっている場合のＦＡ１”、“ＦＡ２”、“ＦＡ３”と、開閉器Ｂが電源側となっている場合のＦＢ１”、“ＦＢ２”、“ＦＢ３”と、開閉器Ｃが電源側となっている場合のＦＣ１”、“ＦＣ２”、“ＦＣ３”と、開閉器Ｄが電源側となっている場合のＦＤ１”、“ＦＤ２”、“ＦＤ３”と、を算出させる。
【００５０】
そして、確率乗算部１５２は、処理Ｓ１０１の算出結果に対し、開閉器Ａ〜Ｄが電源側となる確率を乗算する（Ｓ１０２）。つまり、確率乗算部１５２は、式（６）の各項を計算する。
【００５１】
また、加算部１５３は、第１〜第３状態ごと（新たは変圧器が接続される配電線の相ごと）に、確率乗算部１５２の乗算結果を加算する（Ｓ１０３）。この結果、式（６）における“Ｆ１”〜“Ｆ３”が得られることになる。
【００５２】
そして、選択部１５４は、“Ｆ１”〜“Ｆ３”のうち最小値、つまり、ばらつきが最も小さくなる値を選択し、新たな変圧器の最適な接続相を出力装置１３５（ディスプレイ）に表示する（Ｓ１０４）。判定部１５５は、“Ｆ１”〜“Ｆ３”の最小値が所定値Ｑよりも大きいか否かを判定する（Ｓ１０５）。“Ｆ１”〜“Ｆ３”の最小値が所定値Ｑよりも大きいと（Ｓ１０５：ＹＥＳ）、警報部１５６は警報を出力装置１３５（ディスプレイ）に表示する（Ｓ１０６）。一方、“Ｆ１”〜“Ｆ３”の最小値が所定値Ｑよりも小さいと（Ｓ１０５：ＮＯ）、処理は終了される。
【００５３】
以上、本発明の一実施形態である電圧不平衡解消支援装置７２について説明した。電圧不平衡解消支援装置７２は、変圧器の容量値と、配電線のインピーダンスとを用いて各相における電圧降下の大きさに応じた値（“ＦＡＲ”、“ＦＡＳ”、“ＦＡＴ”）のばらつきを示す値を算出している。このため、利用者は、電圧不平衡率を定量的に把握することができることから、電圧不平衡率を確実に小さくすることができる。
【００５４】
また、電圧不平衡解消支援装置７２では、各相における電圧降下の大きさに応じた値（“ＦＡＲ”、“ＦＡＳ”、“ＦＡＴ”）のばらつきを示す値の最小値が選択されている。このため、利用者は、新たな変圧器を設置する際に、電圧不平衡率が確実に小さくなる相に変圧器を接続できる。
【００５５】
また、本実施形態では、新たな変圧器を設置する際に、開閉器Ａ〜Ｄのそれぞれが電源側となる確率σＡ〜σＤを考慮して接続相が決定されている。このため、範囲Ｘにおいて系統の切替えがあった場合でも、電圧不平衡率を小さくすることができる。
【００５６】
また、開閉器Ａ〜Ｄのそれぞれが電源側となる確率σＡ〜σＤは適宜利用者が設定しても良い。ただし、本実施形態では、過去の履歴に基づいて確率σＡ〜σＤが決定されているため、より高い精度で電圧不平衡率を小さくすることができる。
【００５７】
また、例えば、各相における電圧降下の大きさに応じた値（“ＦＡＲ”、“ＦＡＳ”、“ＦＡＴ”）のばらつきを示す値の最小値が所定値Ｑより大きい場合、新たな変圧器を設置すると、電圧不平衡率が大幅に悪化してしまうことがある。本実施形態では、このような場合警報が表示されるため、電圧不平衡率が大幅に悪化してしまうことを防ぐことができる。
【００５８】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００５９】
１０  電力系統
２０  母線
２１，２２，３０〜３２  配電線
４０，４１  遮断器（ＣＢ）
５０〜５６  変圧器
７０  配電自動化システム
７１  配電設備管理システム
７２  電圧不平衡解消支援装置
１００，１０１  テーブル
１１０  ＣＰＵ
１１５  メモリ
１２０  通信ＩＦ
１２５  記憶装置
１３０  入力装置
１３５  出力装置
Ａ〜Ｄ  開閉器
Ｐ１〜Ｐ９  電柱
【図１】
0005502177.tif 000006
【図２】
0005502177.tif 000007
【図３】
0005502177.tif 000008
【図４】
0005502177.tif 000009
【図５】
0005502177.tif 000010
【図６】
0005502177.tif 000011
【図７】
0005502177.tif 000012